(57)【要約】      （修正有）【課題】分電盤におけるカバーとケースとの取付作業を従来よりも容易化する。【解決手段】分電盤は、配線機器を収容する基台１２０と、配線機器を覆うために基台１２０に取り付けられる本体カバー１３０とを備える。基台１２０には、ケース側第１嵌合部２１とケース側第２嵌合部２２およびケース側第３嵌合部が、本体カバー１３０には、カバー側第１嵌合部３１とカバー側第２嵌合部３２およびカバー側第３嵌合部１３３が、それぞれ設けられている。ケース側第１嵌合部２１およびカバー側第１嵌合部３１、ケース側第２嵌合部２２およびカバー側第２嵌合部３２、ならびに、ケース側第３嵌合部およびカバー側第３嵌合部１３３はそれぞれ、互いに対応する嵌合形状を有する。【選択図】図６
2019118256.tif 000002
【特許請求の範囲】
【請求項１】
配線機器を収容するケースと、
上記配線機器を覆うために上記ケースに取り付けられるカバーと、を備えた分電盤であって、
上記ケースには、ケース側第１嵌合部およびケース側第２嵌合部が設けられており、
上記カバーには、カバー側第１嵌合部およびカバー側第２嵌合部が設けられており、
上記ケース側第１嵌合部と上記カバー側第１嵌合部とは、互いに対応する嵌合形状を有しており、
上記ケースには、ケース側第３嵌合部がさらに設けられており、
上記カバーには、上記ケース側第３嵌合部に対応する嵌合形状を有するカバー側第３嵌合部がさらに設けられており、
上記カバーと上記ケースとが取り付けられた時の、上記ケースの下面から上記カバーの上面に向かう方向を高さ方向として、
上記ケース側第３嵌合部は、上記高さ方向に沿って幅が狭くなるテーパ形状を有しているとともに、
上記ケース側第１嵌合部の最も低い位置をケース側第１位置、
上記ケース側第２嵌合部の最も低い位置をケース側第２位置、
上記ケース側第３嵌合部の最も低い位置をケース側第３位置、
上記カバー側第１嵌合部の最も低い位置をカバー側第１位置、
上記カバー側第２嵌合部の最も低い位置をカバー側第２位置、
上記カバー側第３嵌合部の最も低い位置をカバー側第３位置、として、
上記カバー側第３嵌合部と上記ケース側第３嵌合部との嵌合が開始される状態において、上記カバー側第２嵌合部と上記ケース側第２嵌合部とは離間しており、
上記ケース側第３位置は、上記ケース側第１位置および上記ケース側第２位置よりも高く位置しており、
上記カバー側第３位置は、上記カバー側第１位置および上記カバー側第２位置よりも高く位置していることを特徴とする分電盤。
【発明の詳細な説明】
【技術分野】
【０００１】
本発明は、分電盤に関する。
【背景技術】
【０００２】
電子機器を安全に使用するためには、電子機器および周囲の配線機器（以下、配線機器等）が、機械的に保護されることが要求される。一例として、これらの配線機器等は、ケースの内部に収容され、かつ、当該ケースを覆うカバーによって保護される。
【０００３】
このため、配線機器等を保護するカバーおよびケースの構造について、様々な工夫がなされている。例えば、特許文献１には、カバー取着時のがたつきを低減させることを目的とした電子部品収納ケースが開示されている。
【０００４】
具体的には、特許文献１の電子部品収納ケースは、ケース本体とカバーとから成る。そして、フォーク部がカバーの開口端に形成されており、嵌合口がフォーク部の外周側に形成されている。また、ケース本体の開口端の外壁側から突起している爪部は、嵌合口と係合可能に形成されている。そして、ケース本体の内壁側の少なくとも一部を突起させて、ガイドリブが形成されている。また、ガイドリブの高さを前記開口端に向けて減少させたテーパ部が形成されている。
【先行技術文献】
【特許文献】
【０００５】
【特許文献１】特開２００１−３３９１７４号公報（２００１年１２月７日公開）
【発明の概要】
【発明が解決しようとする課題】
【０００６】
ところで、分電盤の内部の配線機器等（例えば、分岐開閉器および配線機器）のメンテナンス作業を行う場合には、ケースからカバーを取り外すことが必要である。このため、メンテナンス作業の完了時には、カバーを再びケースに取り付けることが必要となる。
【０００７】
しかしながら、特許文献１には、カバーとケースとの取付作業を十分に容易化するための構成については、特に開示されていない。このため、カバーとケースとの取付作業を十分に容易化させた分電盤を実現することができないという問題がある。
【０００８】
本発明は、上記の問題点に鑑みてなされたものであり、その目的は、分電盤におけるカバーとケースとの取付作業を従来よりも容易化することにある。
【課題を解決するための手段】
【０００９】
上記の課題を解決するために、本発明の一態様に係る分電盤は、配線機器を収容するケースと、上記配線機器を覆うために上記ケースに取り付けられるカバーと、を備えた分電盤であって、上記ケースには、ケース側第１嵌合部およびケース側第２嵌合部が設けられており、上記カバーには、カバー側第１嵌合部およびカバー側第２嵌合部が設けられており、上記ケース側第１嵌合部と上記カバー側第１嵌合部とは、互いに対応する嵌合形状を有しており、上記ケース側第２嵌合部と上記カバー側第２嵌合部とは、互いに対応する嵌合形状を有しており、
上記ケースには、ケース側第３嵌合部がさらに設けられており、
上記カバーには、上記ケース側第３嵌合部に対応する嵌合形状を有するカバー側第３嵌合部がさらに設けられており、
上記カバーと上記ケースとが取り付けられた時の、上記ケースの下面から上記カバーの上面に向かう方向を高さ方向として、
上記ケース側第３嵌合部は、上記高さ方向に沿って幅が狭くなるテーパ形状を有しているとともに、
上記ケース側第１嵌合部の最も低い位置をケース側第１位置、
上記ケース側第２嵌合部の最も低い位置をケース側第２位置、
上記ケース側第３嵌合部の最も低い位置をケース側第３位置、
上記カバー側第１嵌合部の最も低い位置をカバー側第１位置、
上記カバー側第２嵌合部の最も低い位置をカバー側第２位置、
上記カバー側第３嵌合部の最も低い位置をカバー側第３位置、として、
上記カバー側第３嵌合部と上記ケース側第３嵌合部との嵌合が開始される状態において、上記カバー側第２嵌合部と上記ケース側第２嵌合部とは離間しており、
上記ケース側第３位置は、上記ケース側第１位置および上記ケース側第２位置よりも高く位置しており、
上記カバー側第３位置は、上記カバー側第１位置および上記カバー側第２位置よりも高く位置している。
上記の構成によれば、カバー側第３嵌合部とケース側第３嵌合部を嵌め合わせ、（ｉ）カバー側第１嵌合部をケース側第１嵌合部に嵌め合わせ、かつ、（ｉｉ）カバー側第２嵌合部をケース側第２嵌合部に嵌め合わせて、ケースに対するカバーの取付作業を行うことが可能となる。
【００１０】
このため、例えば、カバー側第３嵌合部とケース側第３嵌合部を嵌め合わせを、カバー側第２嵌合部をケース側第２嵌合部に嵌め合わせる前に先立って行うことにより、ケースに対するカバーの大まかな取付位置を決めることができる。それゆえ、分電盤におけるカバーとケースとの取付作業を、従来よりも容易化することができる。
【発明の効果】
【００１１】
本発明の一態様に係る分電盤によれば、カバーとケースとの取付作業を従来よりも容易化することができるという効果を奏する。
【図面の簡単な説明】
【００１２】
【図１】本発明の実施形態１に係る分電盤における基台と本体カバーとの嵌合関係を示す断面図である。
【図２】（ａ）および（ｂ）は、本発明の実施形態１に係る分電盤における基台および本体カバーのそれぞれの嵌合形状の詳細な構成を示す斜視図である。
【図３】本発明の実施形態１に係る分電盤において本体カバーが取り外された状態における基台の外観をそれぞれ示す図であり、（ａ）は平面図であり、（ｂ）は斜視図である。
【図４】本発明の実施形態１に係る分電盤の外観を示す平面図である。
【図５】本発明の実施形態１に係る分電盤において、（ａ）は、主幹ハンドルカバーおよび分岐ハンドルカバーを取り外した状態の分電盤の平面図であり、（ｂ）は、該状態における分電盤の斜視図を示す。
【図６】本発明の実施形態２に係る分電盤における基台と本体カバーとの嵌合関係を示す断面図である。
【図７】本発明の実施形態２に係る分電盤における基台および本体カバーのそれぞれの嵌合形状の詳細な構成を示す斜視図である。
【発明を実施するための形態】
【００１３】
〔実施形態１〕
本発明の実施形態１について、図１〜図５に基づいて説明すれば、以下の通りである。
（分電盤１の概略的な構成）
はじめに、図４および図５を参照し、本発明の一実施形態に係る分電盤１の概略的な構成について述べる。図４は、分電盤１の平面図を示す。図５の（ａ）は、主幹ハンドルカバー１１および分岐ハンドルカバー１２を取り外した状態の分電盤１の平面図を示し、図２の（ｂ）は、該状態における分電盤の斜視図を示す。
【００１４】
分電盤１は、基台２（ケース）、本体カバー３（カバー）、主開閉器４、複数の分岐開閉器５、主幹ハンドルカバー１１、分岐ハンドルカバー１２を備える。主開閉器４は、開閉（導通／遮断）の切り替え操作を行うための主幹ハンドル４ａを備える。分岐開閉器５は、開閉の切り替え操作を行うための分岐ハンドル５ａを備える。主開閉器４および複数の分岐開閉器５は、基台２に取り付けられる。
【００１５】
本体カバー３は、分電盤１の内部に設けられた配線（母線等）を覆うように、基台２に対して取り付けられる。本体カバー３は、主幹ハンドル４ａに対応する箇所に第１開口窓３ａを有し、分岐ハンドル５ａに対応する箇所に第２開口窓３ｂ（開口部）を有する。第２開口窓３ｂには、所定の間隔をおいて複数の架設部１６が設けられている。ここでは、基台２、本体カバー３、主幹ハンドルカバー１１、および分岐ハンドルカバー１２は、樹脂製であるが、これに限らず、金属製であってもよい。
【００１６】
また、本体カバー３には、２つの取手部６が設けられている。取手部６は、本体カバー３を基台２に固定するための部材であるとともに、本体カバー３を基台２から取り外すための部材である。なお、本体カバー３における互いに対向する２つの側面のそれぞれには、それぞれの取手部６を配置するための凹部の空間が設けられている。取手部６は、当該凹部の空間内において可動であるように配置されている。このように、凹部の空間内に取手部６が設けられることにより、本体カバー３の取り外し作業が容易化される。これにより、分電盤１のメンテナンス作業が容易化される。
【００１７】
主幹ハンドルカバー１１は、第１開口窓３ａを覆うように、本体カバー３に取り付けられる。主幹ハンドルカバー１１および本体カバー３の第１開口窓３ａ周辺には、対応する凸部と凹部が設けられている。凸部と凹部とが係合することにより、主幹ハンドルカバー１１が本体カバー３に固定される。主幹ハンドルカバー１１は、工具を使用することなく外側からユーザの手によって着脱（開閉）することができる。
【００１８】
なお、主幹ハンドルカバー１１は、着脱式ではなく、固定された軸を中心に回動して開く構成であってもよい。ただし、回動式に比べて、着脱式の主幹ハンドルカバー１１の方が、軸等が壊れることがなく、主幹ハンドルカバー１１が前側に回動するスペースが必要ないので、小さいスペースで分電盤１を使用（設置）することができる。
【００１９】
（基台２および本体カバー３）
続いて、図１〜図３を参照し、基台２および本体カバー３の構成について、より詳細に述べる。以下に述べるように、本実施形態の分電盤１は、基台２に対する本体カバー３の嵌合（係合）を容易化することを目的として構成されたものである。
【００２０】
はじめに、図３を参照して、基台２および本体カバー３の概略的な構成について説明する。なお、図３には、以下に述べる端子台１５（配線機器）以外の様々な部材が示されているが、本実施形態とは関係しないため、端子台１５以外の部材については説明を省略する。
【００２１】
図３の（ａ）および（ｂ）はそれぞれ、分電盤１において本体カバー３が取り外された状態における基台２の外観を示す図である。図３の（ａ）は基台２の平面図であり、（ｂ）は基台２の斜視図である。
【００２２】
図３に示されるように、基台２には、分電盤１の内部における各種の配線を接続および固定するための端子台１５が取り付けられている。なお、上述したように、基台２は、分電盤１における配線と端子台１５とを収容するケースとして機能する。また、本体カバー３は、配線および端子台１５を覆うように保護する保護部材（カバー）として機能する。
【００２３】
また、図３において、基台２と本体カバー３とが取り付けられた時の、基台２の下面から本体カバー３の上面に向かう方向をｚ方向（高さ方向）と称する（後述の図１および図２も参照）。なお、基台２の下面とは、端子台１５が設けられている面と理解されてよい。また、本体カバー３の上面とは、基台２の下面と平行な面であると理解されてよい。
【００２４】
また、基台２および本体カバー３はそれぞれ、矩形上の断面形状を有している。ここで、基台２および本体カバー３の長辺方向をｘ方向と、短辺方向をｙ方向とそれぞれ称する。図３において、ｘ方向、ｙ方向、およびｚ方向はそれぞれ直交する方向である。
【００２５】
但し、例えば上述の長辺方向と短辺方向との交わる角度が９０°以外となるように、分電盤１を製作することもできる。このように、ｘ方向、ｙ方向、およびｚ方向は、必ずしも互いに直交する方向でなくともよい。
【００２６】
続いて、図１および図２を参照し、基台２および本体カバー３の詳細な構成について説明する。図１は、基台２と本体カバー３との嵌合関係を示す断面図である。また、図２の（ａ）および（ｂ）は、基台２および本体カバー３のそれぞれの嵌合形状の詳細な構成を示す斜視図である。なお、図２の（ａ）および（ｂ）では、ｘ方向に対向するそれぞれの側面の付近における、分電盤１の斜視図が示されている。
【００２７】
図１および図２に示されるように、基台２には、ケース側第１嵌合部２１およびケース側第２嵌合部２２が設けられている。また、本体カバー３には、カバー側第１嵌合部３１およびカバー側第２嵌合部３２が設けられている。
【００２８】
そして、ケース側第１嵌合部２１とカバー側第１嵌合部３１とは、互いに対応する嵌合形状を有している。例えば、カバー側第１嵌合部３１は爪状の形状を有している。また、ケース側第１嵌合部２１には、カバー側第１嵌合部３１を受け入れるための凹部が形成されている。
【００２９】
同様に、ケース側第２嵌合部２２とカバー側第２嵌合部３２とは、互いに対応する嵌合形状を有している。例えば、カバー側第２嵌合部３２は爪状の形状を有している。また、ケース側第２嵌合部２２には、カバー側第２嵌合部３２を受け入れるための凹部が形成されている。
【００３０】
これにより、（ｉ）カバー側第１嵌合部３１をケース側第１嵌合部２１に嵌め合わせ、かつ、（ｉｉ）カバー側第２嵌合部３２をケース側第２嵌合部２２に嵌め合わせて、基台２に対する本体カバー３の取付作業を行うことが可能となる。
【００３１】
このため、例えば、はじめにカバー側第２嵌合部３２をケース側第２嵌合部２２に嵌め合わせることよって、基台２に対する本体カバー３の大まかな取付位置を決めることができる。続いて、カバー側第１嵌合部３１をケース側第１嵌合部２１に嵌め合わせることよって、基台２に対する本体カバー３のより詳細な取付位置を決めることができる。
【００３２】
それゆえ、基台２に対する本体カバー３の取付作業を、従来よりも容易化することができる。例えば、基台２の上側から、本体カバー３を基台２に押し付けることにより、本体カバー３を基台２に容易に取り付けることが可能となる。
【００３３】
続いて、分電盤１の好適な構成についてさらに説明する。図１に示されるように、基台２において、ケース側第１嵌合部２１の最も低い位置（すなわち、高さｚの値が最小となる位置）をケース側第１位置ＣＳ１と称することとする。同様に、ケース側第２嵌合部２２の最も低い位置をケース側第２位置ＣＳ２と称する。ケース側第２位置ＣＳ２は、ケース側第１位置ＣＳ１よりも高く位置していることが好ましい。
【００３４】
また、本体カバー３において、カバー側第１嵌合部３１の最も低い位置をカバー側第１位置ＣＶ１と称する。同様に、カバー側第２嵌合部３２の最も低い位置をカバー側第２位置ＣＶ２と称する。カバー側第２位置ＣＶ２は、カバー側第１位置ＣＶ１よりも高く位置していることが好ましい。
【００３５】
また、カバー側第２嵌合部３２とケース側第２嵌合部２２との嵌合が開始される状態において、カバー側第１嵌合部３１とケース側第１嵌合部２１とが離間するように、分電盤１が製作されることが好ましい。
【００３６】
当該構成によれば、基台２に対する本体カバー３の取付作業を行う時に、カバー側第２嵌合部３２とケース側第２嵌合部２２との嵌め合わせを、カバー側第１嵌合部３１とケース側第１嵌合部２１との嵌め合わせに先立って、より確実に行うことが可能となる。
【００３７】
従って、基台２に対する本体カバー３の取付作業を行う時に、詳細な取付位置を決める作業（カバー側第１嵌合部３１をケース側第１嵌合部２１に嵌め合わせる作業）に先立って、大まかな取付位置を決める作業（カバー側第２嵌合部３２をケース側第２嵌合部２２に嵌め合わせる作業）をより確実に行うことが可能となる。このため、基台２に対する本体カバー３の取付作業がより容易化される。
【００３８】
また、図１および図２に示されるように、ケース側第２嵌合部２２は、基台２の角部付近に設けられていることが好ましい。同様に、カバー側第２嵌合部３２は、本体カバー３の角部付近に設けられていることが好ましい。
【００３９】
本実施形態では、ケース側第２嵌合部２２は、矩形上の断面形状を有する基台２の４つの角部付近に設けられている。同様に、カバー側第２嵌合部３２は、矩形上の断面形状を有する本体カバー３の４つの角部付近に設けられている。
【００４０】
当該構成によれば、基台２に対する本体カバー３の取付作業を行う時に、大まかな取付位置を決める作業（カバー側第２嵌合部３２をケース側第２嵌合部２２に嵌め合わせる作業）が、より容易化される。
【００４１】
また、図１および図２に示されるように、ケース側第１嵌合部２１は、基台２の対向する２つの側面の中央付近に設けられていることが好ましい。同様に、カバー側第１嵌合部３１は、本体カバー３の対向する２つの側面の中央付近に設けられていることが好ましい。
【００４２】
本実施形態では、ケース側第１嵌合部２１は、基台２のｘ軸方向（長辺方向）の２辺の中央付近に設けられている。同様に、カバー側第１嵌合部３１は、本体カバー３のｘ軸方向の２辺の中央付近に設けられている。
【００４３】
当該構成によれば、基台２に対する本体カバー３の取付作業を行う時に、詳細な取付位置を決める作業（カバー側第１嵌合部３１をケース側第１嵌合部２１に嵌め合わせる作業）が、より容易化される。
【００４４】
なお、図１では、Ｙ軸方向の手前の方向（Ｙ軸の正方向の向き）から見た場合の分電盤１の断面図が示されている。このため、ケース側第１嵌合部２１、ケース側第２嵌合部２２、カバー側第１嵌合部３１、およびカバー側第２嵌合部３２のそれぞれが、２個ずつ設けられている構成が例示されている。但し、分電盤１は、Ｙ軸方向の手前の方向（Ｙ軸の負方向の向き）から見た場合においても、同様の構成を有している。
【００４５】
このため、本実施形態の分電盤１では、ケース側第１嵌合部２１、ケース側第２嵌合部２２、カバー側第１嵌合部３１、およびカバー側第２嵌合部３２のそれぞれが、４個ずつ設けられていることが理解される（図２の（ａ）および（ｂ）を参照）。
【００４６】
しかしながら、これらの部材の個数は、分電盤１の構造設計上の仕様に応じて、適宜変更されてよい。例えば、基台２および本体カバー３が五角形状の断面形状を有する場合には、五角形のそれぞれの角部付近に、ケース側第２嵌合部２２およびカバー側第２嵌合部３２が設けられてよい。この場合、カバー側第１嵌合部３１およびカバー側第２嵌合部３２はそれぞれ、５個ずつ設けられることとなる。
（分電盤１の効果）
以上のように、本実施形態の分電盤１によれば、カバーとケースとの取付作業を従来よりも容易化することが可能となる。なお、本実施形態の分電盤１は、住宅用の分電盤にも適用可能であるが、遊技機（例えば、パチンコ台またはスロット台）向けに特に好適である。その理由について、以下に述べる。
【００４７】
一般的に、複数の遊技機は、島と称される複数のグループごとに電気的な制御が行われる。そして、上述の島の電気的な制御を行うための分電盤（制御盤）は、島盤と称される。例えば、遊技機がパチンコ台である場合には、島盤は台の上の部分に設置されることが標準的である。他方、遊技機がスロット台である場合には、島盤は台の下の部分に設置されることが標準的である。このように、一般的に島盤の設置位置は制限されることが多い。
【００４８】
従って、島盤は、上下左右が壁に密接した狭いスペース内に設置されることとなる。このため、島盤のメンテナンス作業を行う場合には、島盤のカバーを取り付けるための作業スペースも、非常に狭くなる。このため、従来では、このような狭いスペース内に配置された島盤のカバーをケースに取り付けることは困難であった。
【００４９】
しかしながら、本実施形態の分電盤１によれば、上述した通り、基台２に対する本体カバー３の取付作業を従来よりも容易化することができる。このため、狭いスペース内に配置された島盤の場合にも、本体カバー３を基台２に容易に取り付けることが可能となる。
【００５０】
以上のように、本実施形態の分電盤１は、遊技機用の島盤に特に好適な構成である。なお、本実施形態の分電盤１の構成は、遊技機用の島盤のメンテナンス作業の効率化を目的として、本願の発明者によって新たに見出されたものである。
〔実施形態２〕
本発明の実施形態２について、図６および図７に基づいて説明すれば、以下の通りである。なお、説明の便宜上、前記実施形態にて説明した部材と同じ機能を有する部材については、同じ符号を付記し、その説明を省略する。
【００５１】
（基台１２０および本体カバー１３０）
本実施形態の分電盤１００は、実施形態１の分電盤１において、（ｉ）基台２を基台１２０（ケース）に置き換え、かつ、（ｉｉ）本体カバー３を本体カバー１３０（カバー）に置き換えることによって得られる。
【００５２】
図６は、本実施形態の分電盤１００における基台１２０と本体カバー１３０との嵌合関係を示す断面図である。また、図７は、基台１２０および本体カバー１３０のそれぞれの嵌合部分の詳細な構成を示す斜視図である。
【００５３】
本実施形態の基台１２０は、実施形態１の基台２において、ケース側第３嵌合部１２３を付加した構成である。また、本実施形態の本体カバー１３０は、実施形態１の本体カバー３において、カバー側第３嵌合部１３３を付加した構成である。
【００５４】
本実施形態の分電盤１００において、ケース側第３嵌合部１２３とカバー側第３嵌合部１３３とは、互いに対応する嵌合形状を有している。例えば、ケース側第３嵌合部１２３は、高さ方向に沿って幅が狭くなる（すなわち、高さｚの増加に伴って幅の寸法が減少する）テーパ形状を有している。また、カバー側第３嵌合部１３３には、ケース側第３嵌合部１２３を受け入れるための凹部が形成されている。
【００５５】
これにより、基台１２０に対する本体カバー１３０の取付作業を行う時に、カバー側第３嵌合部１３３とケース側第３嵌合部１２３との嵌め合わせをさらに容易に行うことができる。特に、テーパ形状を有するケース側第３嵌合部１２３は、ケース側第３嵌合部１２３に対応する形状を有するカバー側第３嵌合部１３３を案内するガイド機構として機能する。それゆえ、基台１２０に対する本体カバー１３０の取付作業がより容易化される。
【００５６】
また、図６および図７に示されるように、ケース側第１嵌合部１２３は、基台１２０の対向する２つの側面の中央付近に設けられることが好ましい。また、カバー側第３嵌合部１３３は、本体カバー１３０の対向する２つの側面の中央付近に設けられていることが好ましい。本実施形態では、ケース側第３嵌合部１２３は、基台１２０のｘ軸方向の２辺の中央付近に設けられている。また、カバー側第１嵌合部１３３は、本体カバー１３０のｘ軸方向の２辺の中央付近に設けられている。
【００５７】
なお、図６および図７に示されるように、ケース側第３嵌合部１２３は、ケース側第１嵌合部２１と概ね同様のｘ軸方向の位置に設けられていることが特に好ましい。また、カバー側第３嵌合部１３３は、カバー側第３嵌合部１２３と概ね同様のｘ軸方向の位置に設けられていることが特に好ましい。
【００５８】
当該構成によれば、カバー側第３嵌合部１３３をケース側第３嵌合部１２３に嵌め合わせることにより、カバー側第１嵌合部３１とケース側第１嵌合部２１とのおおよその位置合わせを行うことが可能となる。このため、詳細な取付位置を決める作業（カバー側第１嵌合部３１をケース側第１嵌合部２１に嵌め合わせる作業）が、より容易化される。
【００５９】
なお、図６等に示されるように、基台１２０において、ケース側第３嵌合部１２３の最も低い位置（ケース側第３位置と称されてもよい）は、上述のケース側第１位置ＣＳ１およびケース側第２位置ＣＳ２よりも高く位置していることが好ましい。
【００６０】
同様に、本体カバー１３０において、カバー側第３嵌合部１３３の最も低い位置（カバー側第３位置と称されてもよい）は、上述のカバー側第１位置ＣＶ１およびカバー側第２位置ＣＶ２よりも高く位置していることが好ましい。
【００６１】
また、カバー側第３嵌合部１３３とケース側第３嵌合部１２３との嵌合が開始される状態において、（ｉ）カバー側第１嵌合部３１とケース側第１嵌合部２１、および、（ｉｉ）カバー側第２嵌合部３２とケース側第２嵌合部２２とのそれぞれが離間するように、分電盤１００が製作されることが好ましい。
【００６２】
当該構成によれば、カバー側第３嵌合部１３３とケース側第３嵌合部１２３との嵌め合わせを、（ｉ）カバー側第１嵌合部３１とケース側第１嵌合部２１、および、（ｉｉ）カバー側第２嵌合部３２とケース側第２嵌合部２２とのそれぞれの嵌め合わせに先立って、より確実に行うことが可能となる。このため、基台１２０に対する本体カバー１３０の取付作業がより容易化される。
【００６３】
以上のように、本実施形態の分電盤１００によれば、カバーとケースとの取付作業をさらに容易化することが可能となる。
〔付記事項〕
なお、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００６４】
本発明は、分電盤に利用することができる。
【符号の説明】
【００６５】
１，１００  分電盤
２，１２０  基台（ケース）
３，１３０  本体カバー（カバー）
１５        端子台（配線機器）
２１        ケース側第１嵌合部
２２        ケース側第２嵌合部
１２３      ケース側第３嵌合部
３１        カバー側第１嵌合部
３２        カバー側第２嵌合部
１３３      カバー側第３嵌合部
ＣＳ１      ケース側第１位置
ＣＳ２      ケース側第２位置
ＣＶ１      カバー側第１位置
ＣＶ２      カバー側第２位置
ｚ方向      高さ方向
【図１】
2019118256.tif 000003
【図２】
2019118256.tif 000004
【図３】
2019118256.tif 000005
【図４】
2019118256.tif 000006
【図５】
2019118256.tif 000007
【図６】
2019118256.tif 000008
【図７】
2019118256.tif 000009